(57)【要約】【課題】種々の厚さの媒体を搬送する媒体搬送路においても、媒体を円滑に搬送することができる媒体搬送路を提供する。【解決手段】搬送ローラと、この搬送ローラと対向するプレッシャローラと、搬送される媒体を案内する上側ガイド板と下側ガイド板とを有し、上側ガイド板と下側ガイド板との搬送経路の間隔を、搬送ローラとプレッシャローラに挟持されて搬送される種々の厚さの媒体の最大厚さの媒体が搬送可能な間隔に設定した媒体搬送路において、搬送ローラを下側ガイド板の側に配置し、プレッシャローラを上側ガイド板の側に配置すると共に、プレッシャローラの搬送方向上流側に、媒体の先端を搬送ローラとプレッシャローラの挟持部の方向に導く斜面を有する媒体案内体を設け、この媒体案内体の少なくとも下流側を変位可能とする。【選択図】        図１
2004189371.tif 000002
【特許請求の範囲】
【請求項１】
搬送ローラと、該搬送ローラと対向するプレッシャローラと、搬送される媒体を案内する上側ガイド板と下側ガイド板とを有し、前記上側ガイド板と下側ガイド板との搬送経路の間隔を、前記搬送ローラとプレッシャローラに挟持されて搬送される種々の厚さの媒体の最大厚さの媒体が搬送可能な間隔に設定した媒体搬送路において、
前記搬送ローラを下側ガイド板の側に配置し、前記プレッシャローラを上側ガイド板の側に配置すると共に、前記プレッシャローラの搬送方向上流側に、媒体の先端を前記搬送ローラとプレッシャローラの挟持部の方向に導く斜面を有する媒体案内体を設け、該媒体案内体の少なくとも下流側を変位可能としたことを特徴とする媒体搬送路。
【請求項２】
請求項１において、
前記媒体案内体の前記プレッシャローラ側に、前記下側ガイド板と略平行な平行部を設け、該平行部と前記下側ガイド板との間隔を、搬送される最小厚さの媒体に適した間隔に設定したことを特徴とする媒体搬送路。
【請求項３】
請求項１または請求項２において、
前記媒体案内体が、その上流側を前記上側ガイド板に固定された片持状のバネ部材であることを特徴とする媒体搬送路。
【請求項４】
請求項１または請求項２において、
前記媒体案内体が、その上流側を回動自在に支持されていることを特徴とする媒体搬送路。
【請求項５】
請求項４において、
前記媒体案内体が、該媒体案内体の上流側を前記下側ガイド板の側に押す付勢力を発揮するスプリング部材を備えていることを特徴とする媒体搬送路。
【請求項６】
搬送ローラと、該搬送ローラと対向するプレッシャローラと、搬送される媒体を案内する上側ガイド板と下側ガイド板とを有し、前記上側ガイド板と下側ガイド板との搬送経路の間隔を、前記搬送ローラとプレッシャローラに挟持されて搬送される種々の厚さの媒体の最大厚さの媒体が搬送可能な間隔に設定した媒体搬送路において、
前記上側ガイド板を、媒体の厚さに応じて変位可能としたことを特徴とする媒体搬送路。
【請求項７】
請求項６において、
前記上側ガイド板が、本体によって往復動可能に支持され、自重によって前記下側ガイド板の側に位置していることを特徴とする媒体搬送路。
【請求項８】
請求項６において、
前記上側ガイド板が、リンク機構を介して駆動源によって駆動されることを特徴とする媒体搬送路。
【請求項９】
請求項６において、
前記上側ガイド板が、カムを介して駆動源によって駆動されることを特徴とする媒体搬送路。
【発明の詳細な説明】
【０００１】
【発明の属する技術分野】
本発明は、種々の厚さの媒体を搬送ローラとプレッシャローラとが挟持して搬送する媒体搬送路に関する。
【０００２】
【従来の技術】
従来の媒体搬送路は、厚紙搬送路と薄紙搬送路の合流部に下側から押圧スプリングにより押上げられる媒体ガイドを設け、この媒体ガイドをリミッタに当接させて上側ガイド板と媒体ガイドの間隔を薄紙搬送路の搬送経路の間隔に保持し、薄い媒体は媒体案内体によって搬送ローラとプレッシャローラの挟持部へ導き、厚い媒体はその腰の強さによって媒体案内体を下方に移動させて合流部を通過させている。
【０００３】
また、合流部より下流の媒体搬送路は、厚紙搬送路の搬送経路の間隔に設定され、上側ガイドから僅かに突出した搬送ローラと、この搬送ローラに対向して開放可能に当接し、搬送経路の間隔を補うために下側ガイドから比較的大きな突出量に設定されたプレッシャローラとに挟持させて厚い媒体と薄い媒体を共に搬送するように構成されている（例えば、特許文献１参照。）。
【０００４】
【特許文献１】
特開平９−３２７９５１号公報（第２−３頁
【０００７】−
【００１４】、第２図）
【０００５】
【発明が解決しようとする課題】
しかしながら、上述した従来の厚さの異なる媒体を搬送する媒体搬送路においては、搬送経路の間隔を厚い媒体が搬送できるように設定し、プレッシャローラの突出量が比較的大きく設定されているため、特許文献１のように上側ガイド板の側にプレッシャローラを設けた場合は薄い媒体が自重で下側ガイド板に沿って搬送されたとき、下側ガイド板の側にプレッシャローラを設けた場合は薄い媒体が反り等によって上側ガイド板に沿って搬送されたときには、媒体の先端が大きな突入角でプレッシャローラへ突入するため、媒体の先端が折れたりジャムが発生したりするという問題がある。
【０００６】
本発明は、上記の問題点を解決するためになされたもので、種々の厚さの媒体を搬送する媒体搬送路においても、媒体を円滑に搬送することができる媒体搬送路を提供することを目的とする。
【０００７】
【課題を解決するための手段】
本発明は、上記課題を解決するために、搬送ローラと、該搬送ローラと対向するプレッシャローラと、搬送される媒体を案内する上側ガイド板と下側ガイド板とを有し、前記上側ガイド板と下側ガイド板との搬送経路の間隔を、前記搬送ローラとプレッシャローラに挟持されて搬送される種々の厚さの媒体の最大厚さの媒体が搬送可能な間隔に設定した媒体搬送路において、前記搬送ローラを下側ガイド板の側に配置し、前記プレッシャローラを上側ガイド板の側に配置すると共に、前記プレッシャローラの搬送方向上流側に、媒体の先端を前記搬送ローラとプレッシャローラの挟持部の方向に導く斜面を有する媒体案内体を設け、該媒体案内体の少なくとも下流側を変位可能としたことを特徴とする。
【０００８】
また、前記上側ガイド板を、媒体の厚さに応じて変位可能としたことを特徴とする。
【０００９】
【発明の実施の形態】
以下に、図面を参照して本発明による媒体搬送路の実施の形態について説明する。
第１実施の形態例
図１は第１実施の形態を示す側面図、図２は第１実施の形態の媒体搬送路を示す斜視図、図３は第１実施の形態の媒体の供給状態を示す側面図である。
【００１０】
図１、図２において、１は種々の厚さの媒体２を搬送する媒体搬送路である。
３は搬送ローラであり、媒体２の搬送方向と直交する方向に配置された搬送シャフト４に複数（図２では２個）固定され、搬送シャフト４と連動して回転する。
５はプレッシャローラであり、搬送シャフト４と平行に配置されたローラシャフト６に固定されて搬送ローラ３と対向する位置に配置され、ローラシャフト６と連動して回転する。
【００１１】
また、プレッシャローラ５はバネ等によって搬送ローラ３に当接しており、これらの間に媒体２を挟持して搬送する。
７は下側ガイド板であり、鋼板等で製作され、搬送ローラ３の側に配置されており、搬送ローラ３を搬送経路８に突出させるための窓部７ａおよび媒体２の搬送経路８への進入を容易にするためのガイド部７ｂが成形されている。
【００１２】
９は上側ガイド板であり、鋼板等で製作され、プレッシャローラ５の側に配置されており、プレッシャローラ５や後述する媒体案内体２１を搬送経路８に突出させるための窓部９ａおよび媒体２の搬送経路８への進入を容易にするためのガイド部９ｂが成形されている。
１０は搬送モータであり、搬送モータ１０と連動して回転するプーリ１１ａと搬送シャフト４（図２では２本）と連動するプーリ１１ｂとの間に掛渡された無端の歯付ベルト等のベルト１２を駆動する。
【００１３】
また、搬送シャフト４にはギア１３ａが取付けられており、ローラシャフト６に取付けられたギア１３ｂと噛合うことで搬送シャフト４に伝達された搬送モータ１０の駆動力をローラシャフト６へ伝達する。
図３において、１４は薄紙収納カセットであり、取引明細票等の厚さが薄い媒体２ａを収納する。
【００１４】
１５は厚紙収納カセットであり、通帳等の厚さが厚い媒体２ｂを収納する。
１６は薄紙搬送路であり、薄い媒体２ａの通過を検知する通過センサ１６ａが設置されており、薄紙収納カセット１４に収納されている薄い媒体２ａを合流部１７まで搬送して媒体搬送路１へ引渡す。
１８は厚紙搬送路であり、厚い媒体２ｂの通過を検知する通過センサ１８ａが設置されており、厚紙収納カセット１５に収納されている厚い媒体２ｂを合流部１７まで搬送して媒体搬送路１へ引渡す。
【００１５】
図１において、２１は媒体案内体であり、板バネ等のバネ部材によって製作され、プレッシャローラ５の搬送方向上流側の近傍にプレッシャローラ５毎に設けられており、その上流側の端部に設けられた固定部２２によって上側ガイド板９に固定された片持状の形状に成形されている。
また、媒体案内体２１には媒体の先端を搬送ローラ３とプレッシャローラ５の挟持部１９に導く斜面２３および平行部２４が形成されている。
【００１６】
更に、バネ部材で製作された媒体案内体２１のバネ剛性は、薄い媒体２ａが当接した程度では、ほとんど変形しない程度のバネ剛性に設定する。
なお、上記の媒体案内体２１は、図２に示すようにプレッシャローラ５の片側にのみ設けるようにしてもよく、プレッシャローラ５を挟んで両側に設けてもよい。
【００１７】
また、上側ガイド板９に設けられている窓部９ａは、媒体案内体２１の動きを妨げないように構成されている。
上記上側ガイド板９と下側ガイド板７とは、図１にＡで示す搬送される媒体２の最大の厚さを考慮してその搬送経路８の間隔を最大厚さの媒体、つまり厚い媒体２ｂが搬送可能な間隔に設定して互いに対向させて配置し、搬送経路８を形成させて媒体２の搬送を案内する。
【００１８】
また、図１にＢで示す搬送ローラ３の下側ガイド板７からの突出量は、自重によって下側ガイド板７に沿って案内された薄い媒体２ａが円滑に搬送ローラ３とプレッシャローラ５の挟持部１９に挟持されるように比較的小さな突出量に設定し、プレッシャローラ５の上側ガイド板９からの突出量は、搬送経路８の間隔を補うために比較的大きな突出量に設定する。
【００１９】
図１にＤで示す平行部２４と挟持部１９との距離は、搬送ローラ３の突出量Ｂと略同等に設定し、平行部２４と下側ガイド板７との間隔を搬送される最小厚さの媒体、つまり薄い媒体２ａに適した間隔に設定する。
上記の構成の作用について説明する。
薄い媒体２ａを搬送する場合は、薄い媒体２ａが薄紙収納カセット１４から薄紙搬送路１６へ繰出されて合流部１７まで搬送される。
【００２０】
この薄い媒体２ａを薄紙搬送路１６によって搬送する途中で、通過センサ１６ａが薄い媒体２ａの通過を検知し、この検知信号を受取った図示しない制御部は搬送モータ１０を回転させ、プーリ１１ａによってベルト１２を駆動する。
ベルト１２の回転に伴ってプーリ１１ｂが回転し、ギア１３ａ、１３ｂを介して搬送シャフト４に設けられた搬送ローラ３およびローラシャフト６に設けられたプレッシャローラ５が挟持部１９を当接させながら回転する。
【００２１】
合流部１７から媒体搬送路１に搬送された薄い媒体２ａは、その先端を上側ガイド板９と下側ガイド板７とにより形成した搬送経路８に案内されて自重により下側ガイド板７に沿って搬送され、平行部２４を通過して搬送ローラ３とプレッシャローラ５の挟持部１９に挟持されて搬送される。
この時、薄い媒体２ａが反り等によって上側ガイド板９に沿って搬送された場合は、薄い媒体２ａの先端が媒体案内体２１の斜面２３に当接し、その先端が斜面２３に導かれて下側ガイド板７と平行部２４との間に進入し、搬送ローラ３とプレッシャローラ５の挟持部１９に挟持されて搬送される。
【００２２】
厚い媒体２ｂを搬送する場合は、厚い媒体２ｂが厚紙収納カセット１５から繰出されて厚紙搬送路１８を搬送されると、通過センサ１８ａが厚い媒体２ｂの通過を検知し、上記薄い媒体２ａの場合と同様に合流部１７から媒体搬送路１へ搬送され、媒体搬送路１に搬送された厚い媒体２ｂは、搬送経路８に案内されて搬送され、厚い媒体２ｂの先端が媒体案内体２１の斜面２３に当接すると、厚い媒体２ｂの剛性によってその先端が斜面２３を押し、媒体案内体２１の搬送方向下流側に位置する平行部２４を押し広げて搬送ローラ３とプレッシャローラ５の挟持部１９に達し、挟持部１９に挟持されて搬送される。
【００２３】
なお、本実施の形態の媒体搬送路１は上下を入替えて設置しても上記と同様の作用と効果を得ることができる。
すなわち、薄い媒体２ａの場合は、自重によってその先端を下側のガイド板（上下を入替えた場合の上側ガイド板９）に沿って搬送され、先端が媒体案内体２１の斜面２３に当接し、その先端が斜面２３に掬いあげられて下側ガイド板７と平行部２４との間に進入し、搬送ローラ３とプレッシャローラ５の挟持部１９に挟持されて搬送される。
【００２４】
厚い媒体２ｂの場合は、上記と同様にその剛性によってその先端が斜面２３を押し、媒体案内体２１の搬送方向下流側に位置する平行部２４を押し広げて搬送ローラ３とプレッシャローラ５の挟持部１９に挟持されて搬送される。
以上説明したように、本実施の形態では、搬送ローラを下側ガイド板の側に配置し、プレッシャローラを上側ガイド板の側に配置すると共に、媒体案内体に斜面を設けて剛性の低い薄い媒体の先端を挟持部に導き、厚さを増すことで剛性が高くなった厚い媒体はその剛性により媒体案内体の下流側を変位させて挟持部に達するようにしたことによって、反り等を有する薄い媒体や厚い媒体を自動的に搬送ローラとプレッシャローラの挟持部へ円滑に導くことができ、同一の媒体搬送路によって種々の厚さの媒体を円滑に搬送することができると共に媒体の先端の折れやジャムを防止することができる。
【００２５】
なお、種々の厚さの媒体を両方向に搬送する必要がある場合は、以下のようにして行うことができる。
図４は、第１実施の形態例の他の態様を示す側面図である。
２５は媒体案内体であり、上記媒体案内体２１と同様の板バネ等のバネ部材によって製作され、プレッシャローラ５を基準として斜面２３と略対向する位置に形成され、平行部２４によって斜面２３と連結する対向斜面２６を有しており、媒体案内体２１と同様に固定部２２で上側ガイド板９に固定されている。
【００２６】
このような媒体案内体２５を有する媒体搬送路１によって媒体２を搬送方向の順方向に搬送する場合は、上記と同様にして円滑な搬送が行われる。
媒体２を搬送方向の逆方向に搬送する場合は、薄い媒体２ａは対向斜面２６によってその先端が挟持部１９に導かれ、厚い媒体２ｂは対向斜面２６に当接して平行部２４を押し広げて搬送され、搬送方向の逆方向において上記の順方向と同様に媒体２を円滑に搬送する。
【００２７】
このように、本実施の態様においては、前記した第１実施の形態例の効果に加えて、２箇所への印字や２色印字等のために一旦順方向に搬送した媒体を逆方向に搬送する場合においても、媒体の先端の折れやジャムを防止して円滑な搬送を行うことができる。
第２実施の形態例
図５は本発明の第２実施の形態を示す側面図である。
【００２８】
なお、上記第１実施の形態例と同様の部分は、同一の符号を付してその説明を省略する。
３１は媒体案内体であり、鋼板等によって製作され、プレッシャローラ５の搬送方向上流側の近傍にプレッシャローラ５毎に設けられており、その上流側の端部に設けられたブラッケット３２をシャフト３３で上側ガイド板９または媒体搬送路１を有する装置の本体等に回動自在に支持されている。
【００２９】
また、媒体案内体３１には媒体の先端を搬送ローラ３とプレッシャローラ５の挟持部１９に導く斜面２３および平行部２４が形成されており、常時は斜面２３が上側ガイド板９の拡大された窓部９ａの端部３４に自重によって当接している。
このとき、図５にＤで示す平行部２４と挟持部１９の距離および下側ガイド板７との間隔、第１実施の形態例と同様に設定する。
【００３０】
更に、上側ガイド板９の拡大された窓部９ａの端部３４に自重で当接する媒体案内体３１は、薄い媒体２ａが当接した程度では、シャフト３３を中心として回動しない程度の自重によるモーメントを有するように設定する。
なお、上記の媒体案内体３１は、プレッシャローラ５を挟んで両側に設けてもよく、片側にのみ設けるようにしてもよい。
【００３１】
上記の構成の作用について説明する。
薄い媒体２ａを搬送する場合は、合流部１７から媒体搬送路１に搬送された薄い媒体２ａは、自重によって下側ガイド板７に沿って搬送され、平行部２４を通過して搬送ローラ３とプレッシャローラ５の挟持部１９に挟持されて搬送される。
【００３２】
この時、薄い媒体２ａが反り等によって上側ガイド板９に沿って搬送された場合は、薄い媒体２ａの先端が媒体案内体３１の斜面２３に当接し、その先端が斜面２３に導かれて下側ガイド板７と平行部２４との間に進入し、搬送ローラ３とプレッシャローラ５の挟持部１９に挟持されて搬送される。
厚い媒体２ｂを搬送する場合は、合流部１７から媒体搬送路１に搬送された厚い媒体２ｂは、搬送経路８に案内されて搬送され、厚い媒体２ｂの先端が媒体案内体３１の斜面２３に当接すると、厚い媒体２ｂの剛性によってその先端が斜面２３を押して媒体案内体３１がシャフト３３を中心として回動し、媒体案内体３１の搬送方向下流側に位置する平行部２４を押し広げて搬送ローラ３とプレッシャローラ５の挟持部１９に達し、挟持部１９に挟持されて搬送される。
【００３３】
以上説明したように、本実施の形態では、第１実施の形態例と同様に媒体の厚さの増加に伴う媒体の剛性の増加を利用することによって、反り等を有する薄い媒体や厚い媒体を自動的に搬送ローラとプレッシャローラの挟持部へ円滑に導くことができ、同一の媒体搬送路によって種々の厚さの媒体を円滑に搬送することができると共に媒体の先端の折れやジャムを防止することができる。
【００３４】
図６は、第２実施の形態例の他の態様を示す側面図である。
３５は引張コイルスプリング等のスプリング部材であり、一端を上側ガイド板９または媒体搬送路１を有する装置の本体に設けられた突起部３６に固定され、他端を媒体案内体３１の斜面２３をシャフト３３の方向に更に伸張した伸張部３７に係止して斜面２３を上側ガイド板９の拡大された窓部９ａの端部３４に押付ける方向の付勢力を発揮する。
【００３５】
また、スプリング部材３５は、薄い媒体２ａが当接した程度では、シャフト３３を中心として回動しない程度の付勢力に設定されている。
なお、スプリング部材３５は、引張コイルスプリングに限らず、例えばシャフト３３に上記と同様の付勢力を発揮するように設けたトーションスプリング等であってもよい。
【００３６】
このようなスプリング部材３５を設けた媒体案内体３１を有する媒体搬送路１によって媒体２を搬送する場合は、薄い媒体２ａは斜面２３によってその先端が挟持部１９に導かれ、厚い媒体２ｂは先端が斜面２３に当接し、その剛性によってスプリング部材３５の付勢力に打勝って斜面２３を押して媒体案内体３１がシャフト３３を中心として回動し、平行部２４を押し広げて搬送ローラ３とプレッシャローラ５の挟持部１９に達し、挟持部１９に挟持されて搬送される。
【００３７】
これによって、媒体搬送路１の上下を入替えて設置することが可能となる。
このように、本実施の態様においては、前記した第２実施の形態例の効果に加えて、斜面を上側ガイド板の拡大された窓部の端部に押付ける方向の付勢力を発揮するスプリング部材を設けることによって、水平に対して傾斜した媒体搬送路や垂直に設置された媒体搬送路においても、種々の厚さの媒体の円滑な搬送を行うことが可能となる。
【００３８】
なお、第２実施の形態例および他の態様において、種々の厚さの媒体を両方向に搬送する必要がある場合は、図４に示す第１実施の形態例の他の態様と同様にプレッシャローラを基準とし、斜面と略対向する位置に対向斜面を設けるようにすれば、同様の効果を得ることができる。
第３実施の形態例
図７は本発明の第３実施の形態を示す側面図、図８はその正面図である。
【００３９】
なお、上記第１実施の形態例と同様の部分は、同一の符号を付してその説明を省略する。
図７、図８において、４１は側板であり、媒体搬送路１を有する装置の本体等に固定され、上側ガイド板９と下側ガイド板７の側方に配置されており、支持窓４２が設けられている。
【００４０】
４３は上側ガイド板であり、鋼板等で製作され、先端をＬ字状に曲げて成形された支持部４４が設けられている。
この上側ガイド板４３の支持部４４のＬ字状に曲げられた先端は、側板４１に設けられた支持窓４２ａに往復動可能に支持され、常時は自重によって支持窓４２の上側ガイド板９側の支持端４２ａに位置している。
【００４１】
図５にＢで示す搬送ローラ３の突出量は、第１実施の形態例の図１で示したと同様に設定されており、Ｅで示すプレッシャローラ５の突出量は搬送ローラ３の突出量Ｂと略同等に設定され、搬送経路８の間隔は常時は搬送ローラ３の突出量Ｂの約２倍の距離となり、薄い媒体２ａの搬送に適した間隔に設定される。
更に、上側ガイド板４３の自重は、薄い媒体２ａの剛性では押上げることができず、かつ厚い媒体２ｂの剛性によって押上げることができる程度に設定されており、媒体の厚さに応じて変位可能とした上側ガイド板４３を構成する。
【００４２】
上記の構成の作用について説明する。
薄い媒体２ａを搬送する場合は、合流部１７から媒体搬送路１に搬送された薄い媒体２ａは、自重によって下側ガイド板７に沿って、または反り等によって上側ガイド板４３に沿って搬送される。
この時、薄い媒体２ａは往復動可能に構成された上側ガイド板４３を押上げるために必要な剛性を有していないために薄い媒体２ａの搬送に適切に設定された搬送経路８に案内されて反りを有する場合であっても搬送ローラ３とプレッシャローラ５の挟持部１９へ円滑に導かれ、挟持部１９に挟持されて搬送される。
【００４３】
厚い媒体２ｂを搬送する場合は、媒体搬送路１へ搬送された厚い媒体２ｂは、下側ガイド板７と上側ガイド板４３のガイド部７ｂ、９ｂに当接すると、その剛性によってガイド部９ｂを押して上側ガイド板４３を押上げて変位させ、厚い媒体２ｂが搬送経路８へ進入し、搬送経路８に案内されて搬送ローラ３とプレッシャローラ５の挟持部１９に達し、挟持部１９に挟持されて搬送される。
【００４４】
以上説明したように、本実施の形態では、媒体の剛性を利用して媒体の厚さに応じて変位する上側ガイド板を構成するようにしたことによって、第１実施の形態例と同様に反り等を有する薄い媒体や厚い媒体を自動的に搬送ローラとプレッシャローラの挟持部へ円滑に導くことができ、同一の媒体搬送路によって種々の厚さの媒体を円滑に搬送することができると共に媒体の先端の折れやジャムを防止することができる。
【００４５】
第４実施の形態例
図９は本発明の第４実施の形態を示す側面図である。
なお、第１および第３実施の形態例と同様の部分は、同一の符号を付してその説明を省略する。
５１はソレノイドである。
【００４６】
５２はソレノイド５１のプランジャであり、ソレノイド５１の通電時にソレノイド５１の内部へ吸引される。
５３はレバーであり、一端に設けられたピン５３ａによってプランジャ５２に回動自在に連結され、他端に設けられたピン５３ｂがリンク５４に設けられた長孔５４ａに移動可能に挿入されてリンク５４と連動する。
【００４７】
５５は支点であり、リンク５４を回動自在に支持する。
５６は保持部であり、上側ガイド板４３に固定され、媒体搬送路１を有する装置の本体等に設けられたガイド溝５７に往復動可能に嵌合する。
また、保持部５６に設けられた長孔５６ａには、リンク５４の一端設けられた長孔５４ａと支点５５に対して反対側の端部に設けられたピン５４ｂが移動可能に挿入されており、リンク５４と保持部５６とが連動する。
【００４８】
５８は引張コイルスプリング等のリターンスプリングであり、一端が媒体搬送路１を有する装置の本体等に固定され、他端がレバー５３の突起部５３ｃに係止されてソレノイド５１の非通電時にプランジャ５２をソレノイド５１から引出す方向に付勢力を発揮する。
図９にＢで示す搬送ローラ３の突出量は、第１実施の形態例の図１で示したと同様に設定される。
【００４９】
また、上側ガイド板４３は、レバー５３、リンク５４、支点５５からなるリンク機構を介して動力源であるソレノイド５１によって駆動され、ソレノイド５１の非通電時には、プレッシャローラ５の突出量が図９にＥで示す搬送ローラ３の突出量と略同等になるように設定される。
これによって第３実施の形態例と同様に搬送経路８の間隔は、常時は搬送ローラ３の突出量Ｂの約２倍の距離となり、薄い媒体２ａの搬送に適した間隔に設定される。
【００５０】
上記の構成の作用について説明する。
薄い媒体２ａを搬送する場合は、薄い媒体２ａが薄紙収納カセット１４から繰出されて薄紙搬送路１６を搬送されると、通過センサ１６ａが薄い媒体２ａの通過を検知し、この検知信号を受取った図示しない制御部は、ソレノイド５１を非通電状態のままで維持する。
【００５１】
合流部１７から媒体搬送路１に搬送された薄い媒体２ａは、自重によって下側ガイド板７に沿って、または反り等によって上側ガイド板４３に沿って搬送される。
この時、搬送経路８の間隔は薄い媒体２ａの搬送に適した間隔に設定された状態で維持されており、薄い媒体２ａは搬送経路８に案内されて反りを有する場合であっても搬送ローラ３とプレッシャローラ５の挟持部１９へ円滑に導かれ、挟持部１９に挟持されて搬送される。
【００５２】
厚い媒体２ｂを搬送する場合は、厚い媒体２ｂが厚紙収納カセット１５から繰出されて厚紙搬送路１８を搬送されると、通過センサ１８ａが厚い媒体２ｂの通過を検知し、この検知信号を受取った図示しない制御部は、ソレノイド５１へ電流を送って通電状態にする。
この時、プランジャ５２はリターンスプリング５８の付勢力に抗してソレノイド５１の内部に吸引され、ピン５３ａを介してレバー５３を引張り、リンク５４の長孔５４ａに挿入されているピン５３ｂが、長孔５４ａに沿って移動しながらリンク５４の一端を引張る。
【００５３】
これに伴って、リンク５４が支点５５を中心として回動し、リンク５４に設けられて保持部５６の長孔５６ａに挿入されているピン５４ｂが、長孔５６ａを移動しながら上側ガイド板４３の保持部５６をガイド溝５７に沿って持上げ、搬送経路８の間隔を厚い媒体２ｂの搬送に適した間隔に拡大する。
合流部１７から媒体搬送路１へ搬送された厚い媒体２ｂは、厚い媒体２ｂの搬送に適した間隔に拡大された搬送経路８へ進入し、搬送経路８に案内されて搬送ローラ３とプレッシャローラ５の挟持部１９に達し、挟持部１９に挟持されて搬送される。
【００５４】
なお、厚い媒体２ｂの媒体搬送路１による搬送の終了後に、図示しない制御部が薄い媒体２ａを搬送する検知信号を受取った場合は、制御部はソレノイド５１を非通電状態にし、リターンスプリング５８の付勢力によって上側ガイド板４３を元の位置に復帰させ、搬送経路８の間隔を薄い媒体２ａの搬送に適した間隔に復帰する。
【００５５】
以上説明したように、本実施の形態では、媒体の厚さを検知してソレノイドによる駆動により媒体の厚さに応じて変位する上側ガイド板を構成するようにしたことによって、第１実施の形態例と同様に反り等を有する薄い媒体や厚い媒体を自動的に搬送ローラとプレッシャローラの挟持部へ円滑に導くことができ、同一の媒体搬送路によって種々の厚さの媒体を円滑に搬送することができると共に媒体の先端の折れやジャムを防止することができる。
【００５６】
第５実施の形態例
図１０は本発明の第５実施の形態を示す側面図である。
なお、上記第１、第３および第４実施の形態例と同様の部分は、同一の符号を付してその説明を省略する。
６１はステッピングモータ等のモータである。
【００５７】
６２はカムであり、モータ６１のシャフトに固定され、モータ６１の回転に連動して回転する。
また、カム６２には、モータ６１のシャフトと略同心円状の基部６２ａおよび基部６２ａを外側に拡大した頂部６２ｂが形成されている。
６３は従動部であり、上側ガイド板４３に固定され、媒体搬送路１を有する装置の本体等に設けられたガイド溝５７に往復動可能に嵌合する。
【００５８】
６４はカム従動孔であり、従動部６３に設けられ、カム６２が回動可能に挿入されており、常時はカム６２の基部６２ａがカム従動孔６４の当接部６４ａと当接する。
図１０にＢで示す搬送ローラ３の突出量は、第１実施の形態例の図１で示したと同様に設定される。
【００５９】
また、上側ガイド板４３は、カム６２を介して動力源であるモータ６１によって駆動され、カム６２の基部６２ａがカム従動孔６４の当接部６４ａと当接する場合に、プレッシャローラ５の突出量が図１０にＥで示す搬送ローラ３の突出量と略同等になるように設定される。
これによって第３実施の形態例と同様に搬送経路８の間隔は、常時は搬送ローラ３の突出量Ｂの約２倍の距離となり、薄い媒体２ａの搬送に適した間隔に設定される。
【００６０】
上記の構成の作用について説明する。
薄い媒体２ａを搬送する場合は、薄い媒体２ａが薄紙収納カセット１４から繰出されて薄紙搬送路１６を搬送されると、通過センサ１６ａが薄い媒体２ａの通過を検知し、この検知信号を受取った図示しない制御部は、モータ６１の回転角を維持して待機させる。
【００６１】
合流部１７から媒体搬送路１に搬送された薄い媒体２ａは、自重によって下側ガイド板７に沿って、または反り等によって上側ガイド板４３に沿って搬送される。
この時、搬送経路８の間隔は薄い媒体２ａの搬送に適した間隔に設定された状態で維持されており、薄い媒体２ａは搬送経路８に案内されて反りを有する場合であっても搬送ローラ３とプレッシャローラ５の挟持部１９へ円滑に導かれ、挟持部１９に挟持されて搬送される。
【００６２】
厚い媒体２ｂを搬送する場合は、厚い媒体２ｂが厚紙収納カセット１５から繰出されて厚紙搬送路１８を搬送されると、通過センサ１８ａが厚い媒体２ｂの通過を検知し、この検知信号を受取った図示しない制御部は、モータ６１を回転させる。
これに伴って、カム６２の頂部６２ｂがカム従動孔６４の当接部６４ａを押して上側ガイド板４３の従動部６３をガイド溝５７に沿って持上げ、搬送経路８の間隔を厚い媒体２ｂの搬送に適した間隔に拡大する。
【００６３】
合流部１７から媒体搬送路１へ搬送された厚い媒体２ｂは、厚い媒体２ｂの搬送に適した間隔に拡大された搬送経路８へ進入し、搬送経路８に案内されて搬送ローラ３とプレッシャローラ５の挟持部１９に達し、挟持部１９に挟持されて搬送される。
なお、厚い媒体２ｂの媒体搬送路１による搬送の終了後に、図示しない制御部が薄い媒体２ａを搬送する検知信号を受取った場合は、制御部はモータ６１をカム６２の基部６２ａがカム従動孔６４の当接部６４ａと当接する角度に回転させて上側ガイド板４３を元の位置に復帰させ、搬送経路８の間隔を薄い媒体２ａの搬送に適した間隔に復帰する。
【００６４】
以上説明したように、本実施の形態では、媒体の厚さを検知してモータによる駆動により媒体の厚さに応じて変位する上側ガイド板を構成するようにしたことによって、第１実施の形態例と同様に反り等を有する薄い媒体や厚い媒体を自動的に搬送ローラとプレッシャローラの挟持部へ円滑に導くことができ、同一の媒体搬送路によって種々の厚さの媒体を円滑に搬送することができると共に媒体の先端の折れやジャムを防止することができる。
【００６５】
また、モータの回転角度を制御することによって、カムの頂部がカム従動孔の当接部を押す角度を変化させることができ、任意の厚さの媒体を最適な搬送経路の間隔で搬送することができる。
【００６６】
【発明の効果】
以上述べたように、本発明は、搬送される媒体の厚さやこれに伴う媒体の剛性を利用して媒体を円滑に搬送ローラとプレッシャローラの挟持部へ導くようにしたことによって、反り等を有する薄い媒体や厚い媒体を同一の媒体搬送路によって円滑に搬送することができるという効果が得られる。
【図面の簡単な説明】
【図１】第１実施の形態を示す側面図
【図２】第１実施の形態の媒体搬送路を示す斜視図
【図３】第１実施の形態の媒体の供給状態を示す側面図
【図４】第１実施の形態の他の態様を示す側面図
【図５】第２実施の形態を示す側面図
【図６】第２実施の形態の他の態様を示す側面図
【図７】第３実施の形態を示す側面図
【図８】第３実施の形態を示す正面図
【図９】第４実施の形態を示す側面図
【図１０】第５実施の形態を示す側面図
【符号の説明】
１    媒体搬送路
２    媒体
２ａ  薄い媒体
２ｂ  厚い媒体
３    搬送ローラ
４    搬送シャフト
５    プレッシャローラ
６    ローラシャフト
７    下側ガイド板
７ａ、９ａ  窓部
７ｂ、９ｂ  ガイド部
８    搬送経路
９、４３  上側ガイド板
１０  搬送モータ
１１ａ、１１ｂ  プーリ
１２  ベルト
１３ａ、１３ｂ  ギア
１４  薄紙収納カセット
１５  厚紙収納カセット
１６  薄紙搬送路
１６ａ、１８ａ  通過センサ
１７  合流部
１８  厚紙搬送路
２１、２５、３１  媒体案内体
２２  固定部
２３  斜面
２４  平行部
２６  対向斜面
３２  ブラッケット
３３  シャフト
３４  端部
３５  スプリング部材
３６、５３ｃ  突起部
３７  伸張部
４１  側板
４２  支持窓
４２ａ  支持端
４４  支持部
５１  ソレノイド
５２  プランジャ
５３  レバー
５３ａ、５３ｂ、５４ｂ  ピン
５４  リンク
５４ａ、５６ａ  長孔
５５  支点
５６  保持部
５７  ガイド溝
５８  リターンスプリング
６１  モータ
６２  カム
６２ａ  基部
６２ｂ  頂部
６３  従動部
６４  カム従動孔
６４ａ  当接部
【図１】
2004189371.tif 000003
【図２】
2004189371.tif 000004
【図３】
2004189371.tif 000005
【図４】
2004189371.tif 000006
【図５】
2004189371.tif 000007
【図６】
2004189371.tif 000008
【図７】
2004189371.tif 000009
【図８】
2004189371.tif 000010
【図９】
2004189371.tif 000011
【図１０】
2004189371.tif 000012